Podtech/llm-jp-corpus-v4-ja_patent huggingface dataset:
(57)【要約】      （修正有）【課題】安全かつ容易に飲料用紙パック容器を切断展開するための用具を提供する。【解決手段】直角Ｌ形のガイド１板上面適所にスリットを設け、このスリットに近接して刃を備えた柄２をガイド板上面に設けることにて、スリットより下方に刃が突出するよう構成した紙パック容器６。【選択図】図５
0003140584.tif 000002
【実用新案登録請求の範囲】
【請求項１】
直角Ｌ形のガイド板上面適所にスリットを設け、このスリットに近接して刃を備えた柄をガイド板上面に設けることにて、スリットより下方に刃が突出するよう構成したことを特徴とする紙パックカッター。
【請求項２】
柄に対して刃を着脱可能とした請求項１記載の紙パックカッター。
【考案の詳細な説明】
【技術分野】
【０００１】  この考案は、牛乳パックなどの液体飲料容器としての紙パックを容易に切断展開するためのカッターに関する。
【背景技術】
【０００２】  従来より、主に牛乳パック等の再生利用のために紙パック容器を切断展開することが行われているが、はさみや既存のカッターを利用して行われており、本案にて示すような専用のカッターは見あたらない。
【考案の開示】
【考案が解決しようとする課題】
【０００３】  既述のように、紙パックを再生紙として資源活用するために、飲料消費後の容器を切り開いて提供し、業者側でこれを再生紙に利用することが行われている。この切り開くときに用いられる用具としては、カッターやはさみが一般的であるが、箱形容器の稜線に沿って刃を入れねばならず、正しく稜線に沿うようなガイドもなく、勘を頼りに切断することとなるために、正確な切断は難しい。また、箱体を手で押さえてその押さえ部分に近接して刃が進むために安全面でも好ましくないものであった。
本案は、以上のような従来からの紙パック切断に関わる課題を解決するために考案されたもので、柄とガイド板を有する構造を用いて安全かつ容易なる紙パックの切断を可能とする新規かつ有用なる用具を提供することを目的としたものである。
【課題を解決するための手段】
【０００４】  課題を解決する手段として本案は以下の構成とした。
すなわち、直角Ｌ形のガイド板上面適所にスリットを設け、このスリットに近接して刃を備えた柄をガイド板上面に設けることにて、スリットより下方に刃が突出するよう構成する。本案は以上の構成よりなる紙パックカッターである。
【考案の効果】
【０００５】  本案によれば、ガイド板にて箱体稜線に平行にカッターの刃を移動させることができ、柄を有するのでその作業も容易となり、安全性と作業性を兼ね備えた便利なる用具を得ることができる。また、構造がシンプルで使用材料も少なく比較的安価に製造することができる。なお、後述の例のごとくホルダー板方式とすれば刃の交換も容易である。
【考案を実施するための最良の形態】
【０００６】  以下、本考案の実施形態について説明する。
図において、１はガイド板で、合成樹脂製の直角Ｌ形小板体であり、その上面適所に小幅のスリット（図示略）が形成される。２は柄で、所定長の合成樹脂製丸棒を斜方に切断し、この切断面をガイド板上面に固着したものである。この柄の斜方切断部に近接して切除部が形成され、この切除した部分は別体としてホルダー板３となり、柄の切除部にビス止めされる。つまり、柄の切除部平面に雌ねじが刻設され、ホルダー板には対応個所に貫通孔が刻設され、ホルダー板と切除部面とはビス４による螺着が可能である。
５は鋭利刃面を有する鋼板による刃である。この刃先端は鋭角に形成された刃部を有し、その側面には孔が穿設され、柄の切除面に沿わせてホルダー板をあてがい、ビスによる共締めが可能である。
以上の構成から、図に示すようにガイド板上面に斜方に柄が固着されるとともにホルダー板を介して刃が固定され、この刃は前記スリットを通って刃部先端がガイド板内面に近接して下方に突出する構造が形成される。
本案を使用するには、まず飲用後の紙パック容器例えば牛乳紙パックなどを図５のように台上に寝かせて置く。次に本案品のガイド板を紙パック側面上部に平行にあてがう。
このとき、ガイド板内面は容器外面にぴったりと接触し、刃は容器を押し破って容器内に突出する。この状態において、片方の手は容器を押さえ、他方の手は柄を握持する。
そして、矢印の方向へ本案品を進行させると、刃によって容器は切断され、図のごとく進行方向を適宜に変更することにて展開可能なまでに容器は切断される。本案品は直角小板体よりなるガイド板を有し、このガイド板内面は容器の外面に沿って移動するために、刃の進行によるふらつきがなく、安全に作業することができ、また、柄を持って作業するためにその作業が容易なものとなる。切断後は容器内のしずくを拭き取って乾燥させることにて再生紙原料としての提出が可能となる。【０００７】  以上、本案について説明したが、本案はガイド板と柄および刃を一体化させて構成したところにその特徴を有し、安全かつ容易に紙パックを切断できるものである。
従来ははさみや既存のカッターを用いるしか方法がなく、はさみでは手指のだるさを生じて効率性に乏しく、カッターではガイド部分がないために刃の進行が蛇行しやすく、切断持の抵抗が小さいために、勢い余って手指の負傷やテーブル等の周囲破損リスクが高いものであった。しかし、本案ではガイド板にて紙パック容器の角を捕捉するので切断持の蛇行がなく、一定の切り口を得ることができる。また、紙パック容器とガイド板の摩擦にて適度な抵抗が得られ、安全に切断することができる。なお、切断時は注ぎ口から底部に向かってまず切断し、次に底部３辺を切断することにてスムースな作業を行うことができる。実用面に配慮すれば、ガイド板や柄は抗菌作用を施したポリプロピレンを用い、刃はステンレス鋼が望ましい。また、不使用持のために、ガイド板や刃に対するカバーを設けると便利である。なお、切断前に容器洗浄と乾燥を行う方法でもよい。
以上のごとく、本案にて安全かつ容易に飲料用紙パック容器の切断と展開を行うことのできる用具を提供することができる。
【図面の簡単な説明】
【０００８】
【図１】  本考案の平面図
【図２】  本考案の正面図
【図３】  本考案の右側面図
【図４】  本考案の背面図
【図５】  本考案の使用説明図
【図６】  本考案使用による紙パック容器展開図（簡略表現）
【符号の説明】
【０００９】１  ガイド板
２  柄
３  ホルダー板
４  ビス
５  刃
６  紙パック容器
【図１】
0003140584.tif 000003
【図２】
0003140584.tif 000004
【図３】
0003140584.tif 000005
【図４】
0003140584.tif 000006
【図５】
0003140584.tif 000007
【図６】
0003140584.tif 000008
(57)【要約】      （修正有）【課題】自分の名刺を相手に渡した後、多くの他人の名刺と一緒に名刺収納箱に入れられていては、目立つことがないが、自分の名刺を他の人のものよりも、より早く探し出してもらえるようにする。【解決手段】名刺の社章部分が、簡単に折り返し張り出させることができるよう、予め、切線１と、切線２を入れておく。渡された相手の人が、名刺収納箱に入れる場合、切線の一方の終端部１ｘをちぎり切り離し、切線のもう一方の終端部１ｚから、切線１に対し４５度の、山折り線あるいは谷折り線いずれかにて折り返し、切線２にて作られた切片にて社章部分を挟み留め、収納して貰うことにより、常に社章部分が名刺群の中からとび出して見え、瞬時に自分の名刺を探し出して貰う事が出来るものである。目的外の場合には、社章部分の折り返しを元に戻せば、他の名刺群と一緒の形態になる。【選択図】図１
0003140588.tif 000002
【実用新案登録請求の範囲】
【請求項１】
一部分を折り曲げはり出させることにより、名刺箱に収納された多くの名刺群の中から、瞬時に探し出して貰うことができる名刺。
【考案の詳細な説明】
【技術分野】
【０００１】本考案は、名刺に関するものである。
【背景技術】
【０００２】多量の名刺を収納する場合、収納箱に重ねて入れられる場合があるが、いざ特定の名刺を探し出そうとしても、同じ大きさの名刺群の中からでは、直ぐには見つけ出しにくい。
【考案の開示】
【考案が解決しようとする課題】
【０００３】相手に渡した自分の名刺が、名刺収納箱の中に他の多くの名刺と一緒に重ねて入れられていては、直ぐには探し出してもらいにくかった。したがって、この多くの重なり合った名刺群の中から、自分の名刺を特定して、迅速に探し出してもらうことを狙いとしたものである。
【課題を解決するための手段】
【０００４】本考案が、名刺収納箱に他の名刺と一緒に入れられることとなった場合に、切線の端部分１ｘを指にて切り離してもらい、社章３の印刷されている部分を、切線の１ｚ部分から、辺縁と４５度の角度をもった、山折り或いは谷折り線にて折り返し、切線２にて作られた切片にて留め、はり出させたのちに収納して貰うと、名刺群と云う集合体の中から、この名刺の社章の印刷されている部分だけがとび出すこととなり、容易に特定し探し出して貰うことができる。
【考案の効果】
【０００５】一般に、両面印刷する場合、縦書きの場合も横書きの場合も、社章が入れられる場合、その社章は表裏ほぼ同じ部分に印刷されるので、本考案の社章部分を折り返して実施する場合、山折りであれ、谷折りであれ、どちらの方向に折り返しても、社章部分は重なった名刺群からは、とび出して見えることとなり、瞬時に名刺を特定し探し出して貰う事が出来る。【０００６】本考案の特徴を利用したくない場合には、従前の名刺の使われ方を妨げることなく使われる。
【考案を実施するための最良の形態】
【０００７】社章の印刷された部分を折り返して使うという用途が、ヒントとして相手の人に伝わりやすいように、社章の印刷された折り返し部分は、単なる切線ではなく、その一部を僅かなすき間のあるスリットとしておく。
【実施例】
【０００８】社章がない場合には、この折り返し部分に、自分の名前を小さく印刷し、見出しのようにして使うこともできる。【０００９】単一の会社組織の名刺群にあっては、折り曲げ部分を、部や課ごとに色分けするなどして、見出しの効果を得て使うこともできる。
【図面の簡単な説明】
【００１０】
【図１】本考案の正面図である。
【図２】本考案の実施例を示す立体図である。
【符号の説明】
【００１１】  １  スリットを含んだ切線
２  切線で作られる切片
３  社章
【図１】
0003140588.tif 000003
【図２】
0003140588.tif 000004
(57)【要約】      （修正有）【課題】合板製造工場における単板乾燥機に関し、火災感知機能を備えた点検扉を提供する。【解決手段】合板製造用の単板乾燥機の乾燥領域側面に備わる開閉自在な点検扉において、点検扉本体１の背面に縦溝凹状の火災感知装置収納部２を設けて、火災感知装置収納部２内の長手方向に炎センサー３を複数設置して収納し、さらに火災感知装置収納部２の前面を二重に被覆する無色透明な耐火ガラス４と火災感知装置収納部２内を冷却する手段を有した装置５を備えて成し、炎を感知した炎センサー３が、接続コード７を介して接続する火災信号受信機６へ火災信号を発信することとした。【選択図】図３
0003140586.tif 000002
【実用新案登録請求の範囲】
【請求項１】
合板製造用の単板乾燥機の乾燥領域側面に備わる開閉自在な点検扉において、前記点検扉本体の背面に縦溝凹状の火災感知装置収納部を設けて、該火災感知装置収納部内の長手方向に炎センサーを複数設置して収納し、さらに該火災感知装置収納部の前面を二重に被覆する無色透明な耐火ガラスと該火災感知装置収納部内を冷却する手段を有した装置を備えて成し、炎を感知した該炎センサーが、接続コードを介して接続する火災信号受信機へ火災信号を発信することを特徴とした合板製造用の単板乾燥機の点検扉。
【考案の詳細な説明】
【技術分野】
【０００１】  本考案は、合板製造工場における単板乾燥機に関するものである。
【背景技術】
【０００２】  従来より、合板製造工場における合板製造用の単板乾燥機は、丸太材から薄く剥き取った単板を、加熱セクションを所用数連設した全長数十メートルにもなる略トンネル状の乾燥領域内に挿入し、該機に備わるローラー式コンベヤー装置で該乾燥領域内を移動させながら、熱風で乾燥させる構造のものが多く使用されている。
【考案の開示】
【考案が解決しようとする課題】
【０００３】  しかしながら、上述の構造では、全長数十メートルの長さの略トンネル状乾燥領域を有する単板乾燥機となることから、該乾燥領域内に火災が発生した際、火災場所の特定に時間がかかるという問題点を有していた。【０００４】本考案は、上記従来有する問題点に鑑み、合板製造工場における単板乾燥機に関し、火災感知機能を備えた点検扉を提供しようとするものである。
【課題を解決するための手段】
【０００５】  本考案は、合板製造用の単板乾燥機の乾燥領域側面に備わる開閉自在な点検扉において、前記点検扉本体１の背面に縦溝凹状の火災感知装置収納部２を設けて、該火災感知装置収納部２内の長手方向に炎センサー３を複数設置して収納し、さらに該火災感知装置収納部２の前面を二重に被覆する無色透明な耐火ガラス４と該火災感知装置収納部２内を冷却する手段を有した装置５を備えて成し、炎を感知した該炎センサー３が、接続コード７を介して接続する火災信号受信機６へ火災信号を発信することを特徴とした。
【考案の効果】
【０００６】  加熱セクションを所用数連設した単板乾燥機は、通常、加熱セクション毎に点検扉を備えていることから、どの点検扉に属した炎センサーが火災信号を発信したかを識別することで、火災場所を容易に特定することが可能である。
【考案を実施するための最良の形態】
【０００７】  以下、本考案の実施の形態について、図面を参照して説明する。
本考案は、合板製造用の単板乾燥機の乾燥領域側面に備わる開閉自在な点検扉において、図３に示すように、前記点検扉本体１の背面に縦溝凹状の火災感知装置収納部２を設けて、該火災感知装置収納部２内の長手方向に炎センサー３を複数設置して収納し、さらに該火災感知装置収納部２の前面を二重に被覆する無色透明な耐火ガラス４と該火災感知装置収納部２内を冷却する手段を有した装置５を備えて成し、炎を感知した該炎センサー３が、接続コード７を介して接続する火災信号受信機６へ火災信号を発信することを特徴とした。
【図面の簡単な説明】
【０００８】
【図１】  本考案に於ける合板製造用の単板乾燥機の点検扉の正面図である。
【図２】  本考案に於ける合板製造用の単板乾燥機の点検扉の背面図である。
【図３】  図２のＡ−Ｂ矢視断面図である。
【符号の説明】
【０００９】    １    点検扉本体
２    火災感知装置収納部
３    炎センサー
４    耐火ガラス
５    冷却する手段を有した装置
６    火災信号受信機
７    接続コード
【図１】
0003140586.tif 000003
【図２】
0003140586.tif 000004
【図３】
0003140586.tif 000005
(57)【要約】【課題】本考案は、シンクの排水管のゴミ詰まりを防止し脱臭する、ダストラップの排水処理装置を設ける、業務用厨房のグリ−ストラップは清掃メンテナンスを軽減し、排水の公害を減少する。【解決手段】本考案はシンク９の排水管７にダストラップ本体１を接続し、上部にオゾン生成装置４を具備し、開閉自在の上蓋２と、オゾンセンサ−付きストッパ−６を設ける、ダストラップ本体の排水流入口１６の排水は、ゴミ取りバスケット３に流入し土砂取り皿１１と網フィルタ−１４で微細ゴミをキャッチする、閉蓋時にオゾン発生口５からオゾン発生し、排水と混合したオゾン排水は、脱臭、洗浄し流出排水管８から排水する、業務用厨房のグリ−ストラップ１０の排水は脱臭、油脂類を分解し、グリ−ストラップの清掃メンテナンスを軽減し、排水の公害を減少する。【選択図】図１
0003140925.tif 000002
【実用新案登録請求の範囲】
【請求項１】
シンクの排水管に、オゾン生成装置を具備したダストラップ本体を接続し、開閉自在の上蓋に、オゾンセンサ−付きストッパ−を設ける、排水管からダストラップ本体に流入する排水は、ゴミ取りバスケットと網フィルタ−を設け微細ゴミをキャッチし、上蓋が閉蓋時にオゾン発生させる、排水と混合したオゾン排水で防腐、脱臭、配水管も洗浄する、業務用厨房のグリ−ストラップの油脂類も分解し、保守メンテナンスを軽減するのを特徴とするシンクのダストラップ排水処理装置
【考案の詳細な説明】
【技術分野】
【０００１】  本考案は、土砂取り皿を備えるゴミ取りバスケットとオゾン生成装置を設けたダストラップで、シンクの排水処理に関するものである。
【背景技術】
【０００２】  シンクでは、排水と生ゴミや油脂類、土砂等も一緒に排出し、ゴミはシンク排水トラップの水切りカゴに溜めるが、微細ゴミや油脂類が、排水管の詰まりや悪臭を発生させ、業務用厨房のグリ−ストラップの排水は腐敗していた。
【考案の開示】
【考案が解決しようとする課題】
【０００３】  シンクの排水トラップの水切りカゴを頻繁に掃除するのは労働的負担であり、別に設けるのはスペ−スが必要になる、且つ、微細ゴミや配管の悪臭は除去できない。業務用厨房のグリ−ストラップの排水は微細ゴミや油脂類が浮遊、腐敗し悪臭を出し、清掃メンテナンスの経済的負担も大きく、その排水公害が大きい、従ってゴミ取り、脱臭、除菌のダストラップを、シンクとグリ−ストラップの中間処理として前述の欠点を解決しようとするものである。
【課題を解決するための手段】
【０００４】  本考案は、シンクの排水管にダストラップ本体を接続する、上部にオゾン生成装置を具備し、内部にオゾン発生口を設け、土砂取り皿を有するゴミ取りバスケットと、排水口側に網フィルタ−を設ける。排水はダストラップのゴミ取りバスケットに流入し、オゾン発生、ゴミ取りバスケット下部の土砂取り皿で微細ゴミを溜め、更に排出口側の網フィルタ−で溜める、排水はオゾンと混合しオゾン排水になり、油脂類を分解脱臭し排水管も洗浄する。家庭用ダストラップは排水処理装置として、グリ−ストラップを備える業務用厨房ではシンクとグリ−ストラップの中間処理にダストラップ機能を一体化し、グリ−ストラップ内排水の腐敗を防止し、悪臭を除去し問題点を解決している。
【考案の効果】
【０００５】  上述の様に、本考案のシンクのダストラップ排水処理装置は通常にシンクの排水をするのは勿論、シンクの排水管に接続するダストラップが、微細ゴミをキャッチして排水管の詰まりを防止し、油脂類を分解し脱臭する。家庭用は排水処理装置、業務用はシンクとグリ−ストラップの中間処理で、グリ−ストラップの清掃メンテナンスは大幅に軽減し、排水の公害防止として役立つ。
【考案の実施するための最良の形態】
【０００６】  シンク下の排水トラップより低い位置にダストラップ本体を排水管に接続し、排水が流れるようにして、床面や棚、壁面に固定する。シンクの排水トラップの網カゴからすり抜けた土砂や油脂類は排水と一緒にダストラップ本体のゴミ取りバスケットに流入し、土砂や微細ゴミは土砂取り皿に留まるようにし、更に排水口側に網フィルタ−を設け微細ゴミの流出を防止する。ダストラップ本体上部に蝶番で開閉自在の上蓋を設け、オゾンセンサ−付きストッパ−を設け、ゴミ取りバスケットと網フィルタ−の出し入れをする。オゾン生成装置はダストラップ本体上部に具備し、上蓋が閉蓋時にダストラップ内にオゾン発生させ排水と混合し、オゾン排水になり排水管の汚れを除去し脱臭、油脂類も分解する。家庭用ダストラップは小型でシンクの排水トラップ下に設置する、業務用厨房はシンクの排水管にダストラップを接続し、オゾン排水がグリ−ストラップで、酸化腐敗を防止する。
【実施例】
【０００７】  以下、添付図面に従って一実施例を説明する。１はステンレス等の防錆素材にて加工したダストラップ本体、２は開閉自在の上蓋で６のオゾンセンサ−付きストッパ−は上蓋の開放時にオゾンを停止し、３のゴミ取りバスケット、１４の網フィルタ−を出し入れする。９のシンクの排水は、１８の排水トラップから、７の排水管に接続したダストラップ本体の１６の排水流入口から流入し、ダストラップ本体上部の４のオゾン生成装置が５のオゾン発生口からオゾン発生し、排水と混合しオゾン排水になる、オゾン排水は１７の排水口から、８の排水管の汚れを除去し、１０のグリ−ストラップの排水を腐敗防止し、脱臭する。【０００８】  図２の、ゴミ取りバスケット３の上部は金網でゴミ取り排水し、下部の土砂取り皿１１は、微細ゴミ、土砂等を確保する。【０００９】  本考案の一実施例は上述の如き構成からなるものであるから、通常に排水するのは当然であるので、家庭用は小型でシンク下に設置できる排水処理装置で、業務用の厨房ではシンクとグリ−ストラップの間の配水管に接続する。
【図面の簡単な説明】
【００１０】
【図１】本考案のシンクのダストラップ排水処理装置の一実施例を示す斜視図である。
【図２】本ダストラップのゴミ取りバスケットの斜視図である。
【符号の説明】
【００１１】  １    ダストラップ本体
２    上蓋
３    ゴミ取りバスケット
４    オゾン生成装置
５    オゾン発生口
６    オゾンセンサ−付きストッパ−
７    排水管
８    流出排水管
９    シンク
１０    グリ−ストランプ
１１    土砂取り皿
１２    取手
１３    金網
１４    網フィルタ−
１５    蝶番
１６    排水流入口
１７    排水口
１８    排水トラップ
【図１】
0003140925.tif 000003
【図２】
0003140925.tif 000004
(57)【要約】      （修正有）【課題】沖縄県の新たな特産品として人気のある生の海ぶどうに、癒し、育成も楽しめ、飾りとしての機能を持たせる。【解決手段】海ぶどう４、砂５、小動物７等を海水３と共に、透過性のガラス瓶又は密封容器１に保存出来る様にし、海ぶどうを外部から見る事が出来るようにすることで視覚的に楽しめる飾りとしての機能を持たせた。【選択図】図１
0003140926.tif 000002
【実用新案登録請求の範囲】
【請求項１】
ガラス瓶又は、透明容器の内部に海水と共に、育成可能な海ぶどうと砂・小動物等を浮遊可能な状態で、収容した事を特徴とする飾り。
【考案の詳細な説明】
【技術分野】
【０００１】  本考案は、生の海ぶどうを用いた飾りに関するものである。
【背景技術】
【０００２】海ぶどうは、食用品、美容品としての利用が知られています。
【考案の開示】
【考案が解決しようとする課題】
【０００３】沖縄県の新たな特産品として人気のある生の海ぶどうに飾りとしての機能を持たせる。
【課題を解決するための手段】
【０００４】  本考案は、生の海ぶどうと、砂、小動物等を海水と一緒に透過性のあるガラス瓶や透明容器等に収容することで、飾りとしての機能を持たせた。
【考案の効果】
【０００５】  上述の様に、本考案の海ぶどうの飾りは、生の海ぶどうを、透過性のガラス瓶又は透明容器に収容することにより、海ぶどうを外部から見る事が出来、飾りとしての機能としてはもちろん、癒し、育成、も楽しめるものとした。
【考案を実施するための最良の形態】
【０００６】海ぶどうの前処理として、充分に養生する。【０００７】  海ぶどうが長期保存育成できるように、透過性のガラス瓶又は透明容器内に海ぶどう、海水、砂、小動物等と一緒に浮遊可能に収容し、密封する。
【図面の簡単な説明】
【０００８】
【図１】本考案の瓶に密封した飾り
【図２】本考案のキーホルダー用の飾り
【符号の説明】
【００１１】１透過性の容器
２蓋
３海水
４海ぶどう
５砂等
６紐
７小動物
【図１】
0003140926.tif 000003
【図２】
0003140926.tif 000004
(57)【要約】      （修正有）【課題】軽薄で撓みやすいクリアホルダーを携帯や持ち運びに便利なようにＵ字状に折り曲げて持つことができ、さらに収納された書類の脱落防止ができる、クリアホルダーを提供する。【解決手段】軟質で可撓性のあるフイルムシートを折り曲げ重ね合わせ表面シート１と裏面シート２で構成し、折り曲げ部に隣接する一辺（下辺）を該辺の略三分の一を折り曲げ部側に溶着でシール４し、さらに表面シートの半円弧状の切欠部５に対面する裏面シートに半円形の鍔状の切り込み６を入れる。【選択図】図１
0003140921.tif 000002
【実用新案登録請求の範囲】
【請求項１】
軟質で可撓性のあるフイルムシートを折り曲げ、表面シートと裏面シートで構成し、折り曲げ部に隣接する一辺（下辺）を該辺幅の略三分の一を折り曲げ部側に溶着でシールしたことを特徴とする、クリアホルダー。
【請求項２】
前記クリアホルダーの表面シート先端の切欠部に対面する裏面シートに半円形の鍔状の切り込みを設けたことを特徴とする、請求項１記載のクリアホルダー。
【考案の詳細な説明】
【技術分野】
【０００１】本考案は、軽薄で撓みやすいクリアホルダーを携帯や持ち運びに便利の良いように、Ｕ字状に折り曲げてもクリアホルダー自体及び収納された書類が傷むことのない、クリアホルダーに関する。
【背景技術】
【０００２】従来から、クリアホルダーはフイルムシートを重ね合わせるように折り曲げ、この折り曲げ部に隣接する一辺（下辺）全幅を溶着によりシールされたもので。即ち、二枚のフイルムシートで書類を挟んで保持し、また開放された隣接する二辺から書類の出し入れをする。
【考案の開示】
【考案が解決しようとする課題】
【０００３】しかし、従来からのクリアホルダーは軽薄で可撓性があるため、携帯や持ち運び時に摘み持つとクリアホルダーは撓んで折れ曲がりして不安定である、さらに収納された書類が脱落する恐れがあるため取り扱いに支障があった、そのためにクリアホルダーを両手で持ったり、また無理にＵ字状に湾曲させて折り曲げ把持することがある、しかしクリアホルダーに収納された書類の厚みが増すにつれて折り曲げられたクリアホルダーの湾曲部に表面シートと裏面シートのズレでシール部分に歪みが生じホルダー自体、さらに収納された書類までが傷む恐れがあり折り曲げることができなかった。【０００４】本考案の課題は、クリアホルダーに収納された書類の枚数が増えても簡単に素早くＵ字状に湾曲させて折り曲げることができ、しかも片手で安定して把持することが可能なクリアホルダーを提供することにある。
【課題を解決するための手段】
【０００５】本課題を解決するために、図１に示すように、軟質で可撓性のあるフイルムシートを折り重ね合わせ表面シート（１）と裏面シート（２）で構成し、折り曲げ部（３）に隣接する一辺（下辺）を該辺の略三分の一を折り曲げ部（３）側に溶着でシール（４）する、さらに、表面シート（１）の先端の半円弧状の切欠部（５）に対面する裏面シート（２）に半円形の鍔状の切り込み部（６）を設けることで解決する。
【考案の効果】
【０００６】本考案は、図４に示すように、Ｕ字状に湾曲して折り曲げてもクリアホルダーの表面シートと裏面シートのズレは折り曲げられた湾曲部（８）には歪みが生じないためホルダー内に収納された書類の厚みに関係なく簡単に無理なくＵ字状に折り曲げることができ、軽薄で撓みやすいシート状のクリアホルダーも片手で簡単に把持できるため携帯や持ち運びに便利である。【０００７】さらに、図２に示すように、裏面シートの鍔状の切り込み部（６）を収納された書類（７）に引っ掛けることで書類の脱落防止ができ、また表面シートの切欠部（５）に引っ掛けることでクリアホルダーの開口部が閉鎖され、さらに安定して書類の収納や保管ができる。【０００８】また、本考案のクリアホルダーは底部のシール（４）が折り曲げ部（３）側に略三分の一であるため従来のクリアホルダーよりも開口部が大きく開放し、書類の出し入れが容易にでき、さらにホルダー内に書類を収納されたままの状態でも書類の閲覧や検索ができるため便利である。
【考案を実施するための最良の形態】以下、本考案の実施の形態を説明する。【０００９】図１に示すように、軟質で可撓性のあるフイルムシートを折り曲げ、表面シートと（１）と裏面シート（２）で構成し、折り曲げ部（３）に隣接する一辺（下辺）を該辺の略三分の一を折り曲げ部（３）側に溶着でシールする、さらに表面シートの半円弧状の切欠部（５）に対面する裏面シートに半円形の鍔状の切り込み部（６）を設けたことを特徴とする。【００１０】また、実施例として図３に示すように、折り曲げ部（３）に隣接する二辺（上辺、下辺）を該辺の略三分の一を折り曲げ部（３）側に溶着でシール（４）することでクリアホルダー内の書類の保持や脱落防止を確実なものとすることができる。
【図面の簡単な説明】
【００１１】
【図１】本考案のクリアホルダーを開放した状態の正面図である。
【図２】本考案のクリアホルダーに書類が収納された状態の正面図である。
【図３】本考案の実施例でクリアホルダーを開放した状態の正面図である。
【図４】本考案のクリアホルダーをＵ字状に折り曲げて把持した状態の参考図である。
【符号の説明】
【００１２】１    表面シート
２    裏面シート
３    折り曲げ部
４    シール
５    切欠部
６    切り込み部
７    書類
８    湾曲部
【図１】
0003140921.tif 000003
【図２】
0003140921.tif 000004
【図３】
0003140921.tif 000005
【図４】
0003140921.tif 000006
(57)【要約】      （修正有）【課題】商品の内容表示などを妨げることなく使用者自身の所有物であることアピールすることができる祈願容器を提供する。【解決手段】商品の袋や容器に使用者自身または他者が識別可能な文字や言葉を記入できる欄を設ける。【選択図】図１
0003140924.tif 000002
【実用新案登録請求の範囲】
【請求項１】
一般に使用されている包装用の容器や袋に記入欄をもうけ、その商品を購入した購入者または使用者が商品に名前、希望する言葉や文章などを記入できる様式の容器や袋の形態の包装容器や包装袋。
【考案の詳細な説明】
【技術分野】
【０００１】  本考案は主に化粧品やコーヒー及び紅茶、食品などの容器や袋に関するものである。
【背景技術】
【０００２】  包装用の容器や袋の中には、商品の特性や製造物の内容の表示のみがされて販売されている。
【考案の開示】
【考案が解決しようとする課題】
【０００３】  商品の購入者は商品の特性や内容物を確認できるが、購入後にその購入者はその商品が購入者自身の所有物であること自身および他者に知らせることができない。これは同様の商品が存在した場合識別が不可能な点があげられる。
【課題を解決するための手段】
【０００４】  本考案は商品の袋や容器に購入者自身が識別可能な文字や言葉を記入できる欄を設けることにより、商品の内容表示などを妨げることなく購入者自身や使用者の所有物であることアピールすることで問題点を解決するものである。
【考案の効果】
【０００５】  商品に文字を書く際に購入者または他者が文字や言葉を書くことで同様の商品と差別化するだけでなく、何かの願いのようなことを書くことにより文字記入者がその商品にその思いを込めることが可能となる。
【考案を実施するための最良の形態】
【０００６】  商品に記入欄を配置し氏名と願いのような言葉を書くことによりその商品に思いを込めることができる。受験祈願やスポーツなどの試合の勝利祈願や安全祈願などのお守りのように記入者がその商品に思いを込めながら商品を消費することができる。
【実施例】
【０００７】  以下、添付図面に従って実施例を説明する。１包装用の容器や袋本体（図の例はコーヒーの袋）、２の点線枠内は商品購入者が記入できる記入欄である。３の文字は記入者が記入した文字や言葉である。４は製造者が表示した商品の特徴や原材料などの表示である。【０００８】  本考案の実施例は記入者自身の目標と氏名を記入したコーヒーを飲むことにより試験降格という目標を達成するための取り組みができるようになるものである。同様の商品と差別化が可能になるだけでなく、商品に消費するものの願いを込めることができ、商品自体にもともと表示されているものを妨げることがない。
【図面の簡単な説明】
【０００９】
【図１】  本考案の実施例を示す正面図である（例コーヒー袋）
【符号の説明】
【００１０】  １  袋や容器本体
２  記入欄
３  記載するテキスト
４  既成商品自体の商品名や特徴表示
【図１】
0003140924.tif 000003
(57)【要約】      （修正有）【課題】エレベーターの乗客が扉閉鎖時に衣服等はさまれない様、安全にしかも敏速に乗り込めるようにすると共に、停電時等にエレベーターの籠から容易に脱出出来るようにする。【解決手段】エレベーターの籠２より降りる乗客は側面扉１２より先ず降り、乗り込んでくる客は前面扉１０より籠の床３に設置したベルトコンベアー４の上に乗り込ませ、このコンベアーを運転することにより乗客を奥に向かい少し移動させ、前面扉との間に空間を設けて前面扉を閉じるようにする。又、停電時等にエレベーターの籠に設けた非常脱出扉１６を開き、脱出用突出し床１７より避難梯子２０を登って、建物の床上に脱出できるようにする。【選択図】図１
0003140923.tif 000002
【実用新案登録請求の範囲】
【請求項１】
エレベーターの籠２が所定の階の床１に停止して、先ず側面扉１２が開き、籠内の乗客が床１上に降り始めると、すぐに前面扉１０が開き、床１上の人が籠の床３に設置したベルト又は折板式のエンドレスコンベアー４上に乗り込んできて、全員が乗り終ると、奥壁１３への音声による誘導と同時にコンベアー４上の乗客はコンベアー４の運転により籠の奥壁１３に向かい、数十ｃｍ程引き寄せられ、前面扉１０は乗客との間に空間を残した状態で安全に敏速に閉鎖しうるようにした籠の構造
【請求項２】
請求項１に記載した籠の構造の側面壁１１に非常脱出扉１６を設け、これを開いて脱出用突出し床１７を建物の避難用縦空間１８内に突出し、この上から避難梯子２０を登り、建物壁の非常出口１９より建物床１の上に脱出しうるようにした避難通路の構造
【考案の詳細な説明】
【技術分野】
【０００１】  建物に設置される乗客用エレベーター全般に使用できる。
【背景】
【０００２】  現在、百貨店等の乗降客の多い場所に設置されたエレベーターに於いては扉の閉鎖時、衣類等がはさまれる危険があり、又、短時間の乗降が困難である。
【０００３】  又、地震、停電等によりエレベーターが階の途中で停止したとき籠からの脱出は困難である。
【考案の開示】
【考案が解決しようとする課題】
【０００４】  籠内の乗客を別の扉より先に降ろし、建物の床より乗り込んでくる乗客を正面扉より受け入れる。このときこの扉に衣服等がはさまれることを防止する。【０００５】  又、非常の時にエレベーターの籠より建物の床に容易に脱出できるようにする。【０００６】  エレベーターの高速化にともない乗客の乗降時間の短縮と安全は現在より更に要求されるようになる。
【課題を解決するための手段】
【０００７】  エレベーターの籠２が所定の階の床１に停止して、先ず側面扉１２が開き、籠内の乗客が床１上に降り始めると、すぐに前面扉１０が開き、床１上の人が籠の床３に設置したベルト又は折板式のエンドレスコンベアー４上に乗り込んできて、全員が乗り終ると、奥壁１３への音声による誘導と同時にコンベアー４上の乗客はコンベアー４の運転により籠の奥壁１３に向かい、数十ｃｍ程引き寄せられ、前面扉１０は乗客との間に空間を残した状態で安全に敏速に閉鎖できるようにする。【０００８】  地震、又は停電により乗客が籠内に閉じ込められたとき、籠２の側面壁１１に非常脱出扉１６を設け、これを開いて脱出用突出し床１７を建物の避難用縦空間１８内に突出し、この上から避難梯子２０を登り、建物壁の非常出口１９より建物床１の上に脱出しうるようにする。
【考案の効果】
【０００９】  エレベーターの乗客を敏速に且安全に乗降できるようになる。【００１０】  又エレベーターの籠に乗客が閉じ込められることを防止できる。
【考案を実施するための最良の形態】
【００１１】  エレベーターの籠２にはその前面と片方の側面に扉を設け、籠２が所定の階の床１に停止して、先ず側面扉１２が開き、籠内の乗客が床１上に降り始めるとすぐに前面扉１０が開き、床１上の人が籠の床３に設置したベルト又は折板式のエンドレスコンベアー４上に乗り込んできて、全員が乗り終ると、奥壁１３への音声による誘導と同時にコンベアー４上の乗客はコンベアー４の運転により籠の奥壁１３に向かい、数十ｃｍ程引き寄せられ、前面扉１０は乗客との間に空間を残した状態になる。尚、前面扉１０及び側面扉１２は横引シャッターでも多板式の片引き又は両引きの引き戸でもよい。【００１２】  このとき前面扉１０の附近に乗客の衣服等の有無を投光器１４より受光器１５への光線の授受により確認した後、前面扉１０を閉じ始め、異物がはさまれていない状態で前面扉１０が閉じ終わると籠２の昇降が開始される。【００１３】  図に示した籠の床３上のエンドレスのベルトコンベアー４は籠の床３の入口と奥に駆動用モーター内蔵型のベルトプーリー６と従動型ベルトプーリー７を設置し、これによりエンドレスベルト５を奥に向かい移動させるようになっている。尚、当該ベルト５は支持用従動ローラー８及び滑り受板９により下方より支持されている。又、当該ベルト５の代わりに蝶番で連結された折板型のエンドレスの帯を用いてもよい。【００１４】  乗客が籠２内に閉じ込められたときの対策として、側面壁１１に非常脱出扉１６を設け、これを開いて脱出用突出し床１７を建物の避難用縦空間１８内に突出し、この上から避難梯子２０を登り、建物壁の非常出口１９より建物床１の上に脱出しうるようにしている。【００１５】  避難梯子２０はエレベーターの設置空間の全長にわたり設置されているので籠２がどの位置に停止しても乗客は籠の床３より脱出用突出し床１７上に出て、ここから避難梯子２０を登ることになるため、脱出用突出し床１７より下に落下する恐れはなく、安全に脱出することが可能である。【００１６】  通常のワイヤーロープ懸垂型のエレベーター及び循環運転型エレベーターに広く利用することが出来る。
【図面の簡単な説明】
【００１７】
【図１】本案に係わる実施例を示すものであって建物内に懸垂されたエレベーター籠内部の平面図
【図２】図１のＸ−Ｘ断面図
【図３】図１の右側面図
【符号の説明】
【００１８】  １・・・建物の床                    ２・・・エレベーターの籠
３・・・籠の床                      ４・・・籠の床上のコンベアー
５・・・エンドレスベルト    ６・・・駆動用モーター内蔵型のベルトプーリー
７・・・従動型ベルトプーリー        ８・・・支持用従動ローラー
９・・・滑り受板                  １０・・・前面扉
１１・・・側面壁                    １２・・・側面扉
１３・・・奥壁                      １４・・・投光器
１５・・・受光器                    １６・・・籠の非常脱出扉
１７・・・籠の脱出用突出し床        １８・・・建物の避難用縦空間
１９・・・建物壁の非常出口          ２０・・・避難梯子
２１・・・操作盤                    ２２・・・操作盤
２３・・・籠吊下げワイヤーロープ
【図１】
0003140923.tif 000003
【図２】
0003140923.tif 000004
【図３】
0003140923.tif 000005
(57)【要約】      （修正有） 【課題】高齢者、障害者等ハンディのある人に片手で簡単に引き出せ使用勝手に優れた貼着装置付きポップアップトイレットティッシュを提供する。【解決手段】貼着装置２，３を保護している剥離紙を剥しロール状トイレットペーパーホルダー４のホルダーカッター６の上部に設置し、トイレットティッシュ１のミシン目を開封し用紙を引き出す。また、使用に適した任意場所に関しても上記と同様に剥離紙を剥し設置する。【選択図】図３
0003140938.tif 000002
【実用新案登録請求の範囲】
【請求項１】
ポップアップ式トイレットティッシュの用紙取り出し開口部の反対面に両面テープ等の貼着材を設けることで、汎用的なトイレットロールホルダーのカッター上部、使用しやすい場所、その他任意場所に貼着することができる貼着装置付きポップアップ式トイレットティッシュ。
【考案の詳細な説明】
【技術分野】
【０００１】
本考案はビニール等の梱包体にて梱包され二つ折りされ互いに係合している積層トイレットティッシュを引き出し口より一組ずつ取り出せるように、トイレットペーパーロールホルダー装置のカッター上部、使用に適した任意場所に貼着することを可能とする装置に関する。
【背景技術】
【０００２】
トイレットペーパーとしては、ロール状に巻き取られた水溶性紙が主流で使用され、そのトイレットペーパーを保持する機器としてトイレットホルダーも広く使用されている。
【特許文献１】登録実用新案  第３０２８０２０号
【考案の開示】
【考案が解決しようとする課題】
【０００３】
高齢者、障害者等、ハンディを持つ人はロール状のトイレットペーパーを引き出し、切断、折り畳み使用する作業は容易な作業ではない。
【０００４】
ロール状のトイレットペーパーを片手で引き出し、切断、折り畳み使用できるホルダー等は数多く提案されているが、既存のホルダーの取替え、改良の必要があり不便である。
【０００５】
トイレットペーパーホルダーは任意の場所に固定され、使用する人に合わせて移動することが容易にできない。
【０００６】
したがって、本考案は特殊なトイレットペーパーホルダーの取替え、改良の手間なしに既存のトイレットペーパーホルダー装置のカッター上部、使用に適した任意場所に設置でき、高齢者、障害者、ハンディ等を持った人にも片手で作業でき使用できる貼着装置付きポップアップトイレットティッシュを提供することを目的とする。
【課題を解決するための手段】
【０００７】
課題を解決するために本考案に係る貼着装置付きポップアップトイレットティッシュではポップアップトイレットティッシュの用紙取り出し開口部の反体面に両面テープ等の貼着材を設けることを特徴とする。
【考案の効果】
【０００８】
本考案の貼着装置付きポップアップトイレットティッシュは、貼着装置により従来のロール状トイレットペーパーのように、高齢者、障害者、ハンディを持った人が使用するのに困難であった状況を解消でき片手で使用することが可能になる。また、専用のホルダーを必要としないため既存のトイレットペーパーホルダーを取替え改良せずに利用ができ、設置場所もトイレットペーパーホルダーのカッター上部に限らず使用に適した任意場所に設置できる。
【考案を実施するための最良の形態】
【０００９】
添付図面に従って一実施例を説明する。既存のロール状トイレットペーパーホルダー４は、市販のトイレットペーパー５のサイズに適合しているため、ホルダーカッター６上部に設置する都合上貼着装置２,３の間隔Ａは、トイレットペーパー５の幅Ｃと同等にすることが望ましい。また、上記に示した粘着装置２,３の間隔Ｂは、使用に適した任意場所に設置することに関しても問題はない。
【実施例】
【００１０】
まず、図１の貼着装置２，３を保護している剥離紙を剥し図３のようにロール状トイレットペーパーホルダー４のホルダーカッター６の上部に設置し、図２のトイレットティッシュ１のミシン目を開封し使用する。また、使用に適した任意場所に関しても上記と同様に剥離紙を剥し設置するのみである。
【図面の簡単な説明】
【００１１】
【図１】トイレットティッシュへの貼着装置施工正面図である。
【図２】トイレットティッシュへの貼着装置施工面の反対側面のトイレットティッシュの開口部を示す図である。
【図３】ロール状トイレットホルダーへの貼着一実施例を示す図である。
【符号の説明】
【００１２】
１  トイレットティッシュ
２  両面テープ
３  両面テープ
４  ロール状トイレットペーパーホルダー
５  ロール状トイレットペーパー
６  ロール状トイレットペーパーホルダーカッター
Ａ  両面テープの間隔
Ｂ  ミシン目
Ｃ  トイレットペーパーの幅
【図１】
0003140938.tif 000003
【図２】
0003140938.tif 000004
【図３】
0003140938.tif 000005
(57)【要約】【課題】使用時には濡れた物と濡れては困る物を分離して収納が可能であり、又不使用時にコンパクトにして持ち運びしやすいバッグを提供する。【解決手段】折り畳み可能な布製バッグ本体１と、折り畳んだ該バッグ本体１を収納する収納袋体８とからなり、該収納袋体８を防水材により形成し、該収納袋体８を前記バッグ本体１内に取付け或いは取外し可能な係着手段７を該バッグ本体１内に設けるようにし、バッグ本体１を使用しないで持ち運ぶ場合には、該バッグ本体１を折り畳んで収納袋体８に収納でき、又、該バッグ本体１を使用する場合には、該収納袋体８から該バッグ本体１を取り出して該収納袋体８を該バッグ本体１内の係着手段７に取付ける。【選択図】図１
0003140997.tif 000002
【実用新案登録請求の範囲】
【請求項１】
折り畳み可能なバッグ本体と、折り畳んだ該バッグ本体を収納する収納袋体とからなり、該収納袋体を防水材により形成し、該収納袋体を前記バッグ本体内に取付け或いは取外し可能な係着手段を該バッグ本体内に設けたバッグ。
【請求項２】
前記係着手段は係止突部と該係止突部が係脱する受部とからなり、これら係止突部又は受部のいずれか一方が前記バッグ本体の内面の上方部から揺動自在に垂下する支持体に固定されていると共に、他方が前記収納袋体の外側面の上方部に固定されている請求項１に記載のバッグ。
【考案の詳細な説明】
【技術分野】
【０００１】
本考案は、手提げバッグ等の布製のバッグに関するものであり、特に、バッグ内に収納袋を有するものに関する。
【背景技術】
【０００２】
従来、バッグ内部に防水用の内袋を設けて、内袋に書類などの水により被害を受けやすいものを入れられるようにしたバッグが知られている（例えば、特許文献１参照。）。
【０００３】
【特許文献１】登録実用新案第３０４９５９２号公報
【考案の開示】
【考案が解決しようとする課題】
【０００４】
引用文献のバッグは、不使用時にも該バッグそれ自体の大きさが保持されてスペースを取られ、且つ持ち運びが不便である。
【０００５】
本考案は、かかる問題点を解消し、濡れた物と濡れては困る物を分離して収納可能であり、バッグを使用しないときは、コンパクトにして持ち運びが容易となるバッグを提供することを目的とする。
【課題を解決するための手段】
【０００６】
本考案は前記の目的を達成すべく、折り畳み可能なバッグ本体と、折り畳んだ該バッグ本体を収納する収納袋体とからなり、該収納袋体を防水材により形成し、該収納袋体を前記バッグ本体内に取付け或いは取外し可能な係着手段を該バッグ本体内に設けている。
【考案の効果】
【０００７】
本考案によれば、布製のバッグに防水性の収納袋体を備えることができるため、旅行等に使用したときに濡れたタオル等を防水性袋体に収納し、濡れては困る着替えの下着等はバッグ本体内に収納して分離収納が可能となり、又バッグを使用しないときは、折り畳んだバッグをこの収納袋体に収納してコンパクトの状態にして持ち運ぶことができる。
【考案を実施するための最良の形態】
【０００８】
本考案を実施するための最良の形態の実施例を以下に示す。
【実施例１】
【０００９】
図１は本考案のバッグ本体の斜視図であり、図２は本考案の収納袋体の斜視図である。
【００１０】
図１において１はバッグ本体を示し、該バッグ本体１は全体が布製の材質により袋状に作製されており、その上方の開口部はチャック２により開閉自在に構成されている。又、該バッグ本体１の両外側面には手提部３がそれぞれ縫着されていると共に、一方の外側面に折り畳み傘が収納可能な第１収納部４と小物を収納する第２収納部５が設けられている。
【００１１】
又、前記バッグ本体１の一方の内側面の上端部から間隔を存して１対の帯状の支持体６が揺動自在に垂下し、これら支持体６の下端部に、スナップからなる係着手段７の係止突部７ａとその受部７ｂのうちの受部７ｂが固定されている。
【００１２】
図２において８は収納袋体を示し、該収納袋体８は、防水性の硬質の合成樹脂等で作製されており、後述するように布製のバッグ本体１を折り畳んで収納できる大きさの袋状に形成されている。
【００１３】
そして該収納袋体８の一方の外側面の上方部に間隔を存して前記係止突部７ａが固定されている。
【００１４】
尚、該収納袋体８もその上方の開口部はチャック９により開閉自在に構成されている。
【００１５】
かくて、バッグ本体１を使用しないで持ち運ぶ場合には、図３に示す如くバッグ本体１を折り畳んで収納袋体８に収納でき、また、収納袋体８が防水性であることから、収納したバッグ本体１が雨などで濡れる心配もない。
【００１６】
そして、バッグ本体１を使用する際には、収納袋体８から折り畳まれているバッグ本体１を取り出し、その後該収納袋体８を該バッグ本体１内に入れ、該バッグ本体１内に垂下されている１対の支持体６の下端の受部７ｂに前記収納袋体８の係止突部７ａを係合して図４に示す如く該収納袋体８を前記バッグ本体１内に支持体６を介して揺動自在に係止する。
【００１７】
そして例えば旅行において濡れたタオル等は防水性の収納袋体８内に収納し、それ以外の下着等は収納袋体８の外側のバッグ本体１内に収納すれば、該下着等は濡れることがなく、簡便な手段で濡れた物と濡れては困る物とを同時に持ち運びすることができる。
【００１８】
ここで、収納袋体８がバッグ本体１内に揺動自在に垂下支持されているので、荷物の形やバッグ本体１の変形によって収納袋体８もバッグ本体１の内部で移動し、比較的硬質の収納袋体８であっても、これによって荷物の出し入れが困難になるといった不都合も生じることがない。
【００１９】
尚、前記実施例では、係着手段７の受部７ｂを支持体６の下端部に固定し、係止突部７ａを収納袋体８に固定した例を示したが、これとは逆に係止突部７ａを支持体６の下端部に、又受部７ｂを収納袋体に固定してもよく、又係着手段７のいずれか一方をバッグ本体１の内側面に直接係着し、他方を収納袋体８に係着してもよい。
【産業上の利用可能性】
【００２０】
本考案のバッグは、旅行用の荷物やスポーツ用具などの運搬用バッグとして広く利用できるものであり、特に、防水を必要とする物が含まれている場合に適している。
【図面の簡単な説明】
【００２１】
【図１】本考案の実施例１のバッグ本体の斜視図である。
【図２】本考案の実施例１の収納袋体の斜視図である。
【図３】実施例１のバッグ本体を収納した収納袋体の縦断面図である。
【図４】実施例１の収納袋体を収納したバッグ本体の縦断面図である。
【符号の説明】
【００２２】
１      バッグ本体
６      支持体
７      係着手段
７ａ    係止突部
７ｂ    受部
８      収納袋体
【図１】
0003140997.tif 000003
【図２】
0003140997.tif 000004
【図３】
0003140997.tif 000005
【図４】
0003140997.tif 000006